(57)【要約】【課題】主に外国為替取引における相場水準等の相場情報を客観的、且つ、見やすく表示する相場情報表示システムの提供。【解決手段】相場情報表示システム１は、過去の相場額情報を記録したデータ記憶部３より所定期間における相場額の最高値と最安値とを抽出し、最高値と最安値とを上下限とする範囲に対する判断基準時相場額の相対関係に基づく相場スコアを算出するスコア演算手段６と、ベース画像上に相場スコアをベース画像に対する相対位置に変換して表示するスコア表示体を合成してなるスコア画像を生成する画像生成手段８とを備え、そのスコア画像を表示手段９によって表示するようになっている。【選択図】図１
2018142096.tif 000002
【特許請求の範囲】
【請求項１】
相場情報を表示する相場情報表示システムにおいて、
判断基準時の相場額を取得する基準相場額取得手段と、
過去の相場額情報を記録したデータ記憶部と、
該データ記憶部より前記判断基準時から所定期間内における相場額の最高値と最安値とを抽出し、前記最高値と前記最安値とを上下限とする範囲に対する前記判断基準時相場額の相対関係に基づく相場スコアを算出するスコア演算手段と、
相場水準を範囲毎に表示するベース画像上に前記相場スコアを該ベース画像に対する相対位置に変換して表示するスコア表示体を合成してなるスコア画像を生成する画像生成手段と、
前記スコア画像を表示する表示手段とを備えていることを特徴とする相場情報表示システム。
【請求項２】
前記スコア演算手段は、短期、中期、長期の各所定期間について相場スコアを算出するとともに、短期相場スコア、中期相場スコア及び長期相場スコアの平均値である総合相場スコアを算出し、
前記画像生成手段は、短期相場スコア、中期相場スコア、長期相場スコア及び総合相場スコアの各スコア表示体を生成し、該各スコア表示体をベース画像上に並べて合成するようにした請求項１に記載の相場情報表示システム。
【発明の詳細な説明】
【技術分野】
【０００１】
本発明は、主に外国為替相場における情報を投資家や金融機関等の利用者に提供するための相場情報表示システムに関する。
【背景技術】
【０００２】
外国為替相場は、円と米ドル等の異なる通貨の交換（売買）に伴って随時変動し、当該為替相場の水準、即ち、円安か円高かの情報は、為替取引きのみならず、株取引等のその他金融取引においても重要な情報になっている。
【０００３】
従来、外国為替取引の相場情報としては、相場額（１ＵＳドルに対する日本円の交換額）が随時更新されつつ提供されており、需要者は、判断基準時の相場額と過去の一時点における相場額（例えば、前日取引の終値）とを相対的に比較することで為替水準、即ち、円安か円高かを判断していた。
【０００４】
また、この種の相場情報表示システムとしては、過去の一定期間内における相場変動をチャート化し、当該チャートをインターネット通信等の通信網を通じて各利用者に表示するようにした相場情報表示システムも知られている（例えば、特許文献１を参照）。
【先行技術文献】
【特許文献】
【０００５】
【特許文献１】特開２０１４−２６４４１号公報
【発明の概要】
【発明が解決しようとする課題】
【０００６】
しかしながら、過去の相場額に基づく為替水準は、判断の基準となる時点と過去の一時点（例えば、前日取引の終値）とを比較して相対的に判断するものであるため、基準とする過去の時点によって結果が異なり、為替相場水準の判断材料としての安定性や客観性に欠けるという問題があった。
【０００７】
一方、チャート形式の相場情報は、相場変動の流れを図式化したに過ぎず、当該チャートから判断基準時の為替が客観的にどの水準にあるのかを判断するには熟練を要する等の困難があった。
【０００８】
また、近年では、一般需要者による金融取引の機会が増加しており、このような一般需要者にも容易且つ客観的に為替水準を判断することができる相場情報の提供が求められている。
【０００９】
そこで、本発明は、このような従来の問題に鑑み、主に外国為替取引における相場水準等の相場情報を客観的、且つ、見やすく表示する相場情報表示システムの提供を目的としてなされたものである。
【課題を解決するための手段】
【００１０】
上述の如き従来の問題を解決するための請求項1に記載の発明の特徴は、相場情報を表示する相場情報表示システムにおいて、判断基準時の相場額を取得する基準相場額取得手段と、過去の相場額情報を記録したデータ記憶部と、該データ記憶部より前記判断基準時から所定期間内における相場額の最高値と最安値とを抽出し、前記最高値と前記最安値とを上下限とする範囲に対する前記判断基準時相場額の相対関係に基づく相場スコアを算出するスコア演算手段と、相場水準を範囲毎に表示するベース画像上に前記相場スコアを該ベース画像に対する相対位置に変換して表示するスコア表示体を合成してなるスコア画像を生成する画像生成手段と、前記スコア画像を表示する表示手段とを備えている相場情報表示システムにある。
【００１１】
請求項２に記載の発明の特徴は、請求項１の構成に加え、前記スコア演算手段は、短期、中期、長期の各所定期間について相場スコアを算出するとともに、短期相場スコア、中期相場スコア及び長期相場スコアの平均値である総合相場スコアを算出し、前記画像生成手段は、短期相場スコア、中期相場スコア、長期相場スコア及び総合相場スコアの各スコア表示体を生成し、該各スコア表示体をベース画像上に並べて合成するようにしたことにある。
【発明の効果】
【００１２】
本発明に係る相場情報表示システムは、請求項１に記載した構成を具備することにより、判断基準時における相場額の外国為替相場における水準を視覚的に把握でき、客観的に相場水準を判断することができる。
【００１３】
また、本発明において、請求項２に記載した構成を具備することにより、短期、中期及び長期における相場水準の相違を視覚的に把握できる。
【図面の簡単な説明】
【００１４】
【図１】本発明に係る相場情報表示システムの概要を示すブロック図である。
【図２】相場スコア画像の概略を示す図である。
【図３】仮想の為替相場の概略変動を示すチャート図である。
【図４】実際の相場スコア画像を含む表示画面の一例を示す図である。
【発明を実施するための形態】
【００１５】
次に、本発明に係る相場情報表示システムの実施態様を図１〜図４に示した実施例に基づいて説明する。
【００１６】
尚、本実施例では、外国為替相場における相場情報表示システムであって、主に米ドルと日本円との通過交換の場合を例に説明する。
【００１７】
この相場情報表示システム１は、スマートフォンやタブレットＰＣ等の携帯端末やパーソナルコンピュータ等の端末機器を備え、図１に示すように、タッチパネルやキーボード等からなる操作入力部２と、各種データが記憶されたデータ記憶部３と、演算処理装置を有する演算部４とによって構成されている。
【００１８】
また、この相場情報表示システム１は、判断基準時の相場額を取得する基準相場額取得手段５と、相場スコアを算出するスコア演算手段６と、相場スコアに基づきスコア画像７ａ〜７ｄを生成する画像生成手段８と、スコア画像７ａ〜７ｄを表示する表示手段９とを備え、外国為替相場の各所定期間における相場水準を視覚化して表示できるようにしている。
【００１９】
操作入力部２は、利用者が所望の通貨、判断基準時、対象となる所定期間等の各情報を入力できるようになっており、当該入力情報に基づき基準相場額取得手段５が基準時の相場額（以下、基準時相場額という）を取得するようになっている。
【００２０】
基準相場額取得手段５は、判断を要する時点を入力することにより、当該時点における相場額を自動又は手動で所得するようになっており、例えば、操作入力部２より判断基準時を選択入力することにより、それに対応する過去の相場額をデータ記憶部３より読み出し、判断基準時における相場額として取得するようになっている。
【００２１】
尚、基準相場額取得手段５は、現時点での相場額を外部サーバ１０等より自動的に読み込むことにより、その現在の相場額を判断基準時における相場額として取得するようにしてもよく、また、操作入力部２より直接相場額を入力し、入力された金額を判断基準時相場額としてもよい。
【００２２】
データ記憶部３は、ＣＤ−ＲＯＭ、ハードディスク、インターネット回線を介して接続された外部記録媒体等の記録媒体を備え、スコア演算手段６と読み出し可能に接続されている。
【００２３】
この記憶媒体には、過去の外国為替市場の各時点における相場額のデータ（以下、過去相場データという）が通貨毎に記憶され、且つ、外部サーバ１０等から最新の相場額データを読み込み、そのデータが取得時期と関連付けて保存され、過去相場データが随時更新されつつ蓄積されるようになっている。
【００２４】
演算部４は、特に図示しないが、中央演算装置、ＲＯＭ、ＲＡＭ、Ｉ／Ｏ及びこれらの構成を接続するバスなどによって構成され、データ記憶部３に対する読み込み及び書き込みや、ＲＯＭ及びＲＡＭに記憶されたプログラムに基づく各種演算処理を行えるようになっており、基準相場額取得手段５、スコア演算手段６及び画像生成手段８を構成している。
【００２５】
スコア演算手段６は、過去相場データに基づき、判断基準時を基準とした短期（本実施例では５年）、中期（本実施例では１０年）、長期（本実施例では１５年）の各所定期間における最高値と最安値とをそれぞれ抽出し、それに基づき各所定期間の相場スコア（以下、短期相場スコア、中期相場スコア及び長期相場スコアという）を算出する。
【００２６】
ここで、相場スコアとは、所定期間における最安値を下限（０％）、最高値を上限（１００％）とした範囲に対し判断基準時相場額の相対関係を百分率によって表したものであり、以下の数式によって定義されるものである。
【００２７】
相場スコア＝｜最安値（又は最高値）−基準時相場額｜／（最安値―最高値）×１００（％）
【００２８】
また、スコア演算手段６は、短期相場スコア、中期相場スコア及び長期相場スコアの平均値である総合相場スコアを算出するようになっている。
【００２９】
画像生成手段８は、ベース画像１１上にその相対位置に合わせて相場スコアを表示するスコア表示体１２ａ〜１２ｄを合成することにより、所定期間毎にスコア表示体１２ａ〜１２ｃを表示したスコア画像７を生成する。
【００３０】
ベース画像１１は、図２に示すように、各所定期間における最安値を下限（０％）、最高値を上限（１００％）とし、画像上端を基準として複数の水準範囲１３ａ〜１３ｅに区分けされている。
【００３１】
また、長期スコア、中期スコア、短期スコアのベース画像１１とともに、総合相場スコアを表示するためのベース画像１１が並べて表示される。
【００３２】
本実施例では、画像上端を基準として０〜２０％の範囲１３ａを円安、２１〜４０％の範囲１３ｂをやや円安、４１〜６０％の範囲１３ｃを中立、６１〜８０％の範囲１３ｄをやや円高、８１〜１００％の範囲１３ｅを円高とした各水準範囲とし、各水準範囲１３ａ〜１３ｅを均等幅で表示する。尚、各水準範囲１３ａ〜１３ｅは、色分けされており、各水準範囲の境界が表示されている。
【００３３】
スコア表示体１２ａ〜１２ｄは、矩形、菱形、円、星形等の図形によって構成され、各相場スコア毎に独立して形成され、本実施例では、図２に示すように、菱形状に形成され、その内部に相場スコア及び水準が表示されている。
【００３４】
画像生成手段８は、スコア演算手段６によって算出された相場スコアに基づき当該相場スコアが水準範囲１３ａ〜１３ｅのいずれに属するかを判定するとともに、相場スコアをベース画像１１に対する相対位置に変換し、その相対位置に基づきベース画像１１上にスコア表示体１２ａ〜１２ｄを合成する。
【００３５】
表示手段９は、タブレット端末やパーソナルコンピュータのモニター画面を主に使用し、画像生成手段８によって生成されたスコア画像７を表示するようになっている。尚、表示手段９は、上記モニター画面に限定されるものではなく、例えば、スコア画像７をプリンターによって印刷したものであってもよい。
【００３６】
このように構成された相場情報表示システム１では、操作入力部２において判断基準時を選択入力すると、基準相場額取得手段５がその時点における相場額を取得し、その基準時相場額データ（本実施例では、１１０．７０円／ＵＳドル）を演算部４に送信する。
【００３７】
次に、演算部４では、スコア演算手段６が取得した基準時相場額に基づき基準時から各所定期間（短期５年、中期１０年、長期１５年）における過去相場データをデータ記憶部より読み出し、その中から各期間の最高値及び最安値を抽出する。
【００３８】
本実施例では、図３に示すチャートのように、短期における最安値が１２３．２０円、最高値を８５．４７円、中期における最安値が１３０．８０円、最高値を７５．４７円、長期における最安値が１３７．００円、最高値が７５．４７円の場合について説明する。尚、図に示すチャートは本発明を説明するためのものであって、実際の相場チャートとは無関係である。
【００３９】
演算部４では、スコア演算手段６が各所定期間における相場スコア、即ち、短期相場スコア、中期相場スコア及び長期相場スコアを算出するとともに、これらの平均値である総合相場スコアを算出する。
【００４０】
本実施例では、短期相場スコアが３３．１３（％）、中期相場スコアが３６．３２（％）、長期相場スコアが４２．７４（％）となり、総合相場スコアが３７．４０（％）となる。
【００４１】
次に、演算部４では、画像生成手段８が算出された各相場スコアをベース画像１１に対する相対位置に変換し、それに基づいてスコア表示体１２ａ〜１２ｄが合成される。
【００４２】
即ち、長期相場スコア、中期相場スコア及び短期相場スコアのスコア表示体１２ａ〜１２ｄは、ベース画像１１の上下幅を１００％とした際の上端より４２．７４％、３６．３２％及び３３．１３％の位置にそれぞれ合成され、総合相場スコアは、上端より３７．４０％の位置に合成される。
【００４３】
このように判断基準時相場額の相場水準が各所定期間におけるベース画像１１に対する相対位置として表示されることによって、判断基準時における短期的、中期的、長期的に見た場合の相場水準が一目で容易に把握でき、客観的に比較することができる。
【００４４】
本実施例では、長期的には中立であるが、中短期的にはやや円安水準にあり、総合的にはやや円安水準にあることが把握できる。
【００４５】
尚、スコア画像７の表示方法は、図２に示す実施例に限定されず、例えば、図４に示すように、相場スコア毎の統計データを図表化した各種データ画像とともに表示するようにしてもよい。
【００４６】
また、上述の実施例では、本発明を外国為替相場に適用した例について説明したが、株相場やその他の相場情報の表示にも適用することができる。
【符号の説明】
【００４７】
１  相場情報表示システム
２  操作入力部
３  データ記憶部
４  演算部
５  基準相場額取得手段
６  スコア演算手段
７  スコア画像
８  画像生成手段
９  表示手段
１０  外部サーバ
１１  ベース画像
１２ａ〜１２ｄ  スコア表示体
１３ａ〜１３ｅ  水準範囲
【図１】
2018142096.tif 000003
【図２】
2018142096.tif 000004
【図３】
2018142096.tif 000005
【図４】
2018142096.tif 000006